(57)【要約】【課題】この発明は、チェーンを張設方向と直交する方向の一側に振った際のチェーン位置を、チェーンの弛み測定の基準位置として保持できる乗客コンベアのチェーンテンション測定用治具を得る。【解決手段】チェーンテンション測定用治具３０は、一面に平坦な取付面を有する固定部材３１と、固定部材３１の他面から固定部材３１の一面と直交する方向に延設された基準位置指示部材３２と、を備えている。固定部材３１は、永久磁石を円盤状に成形して作製された磁石部のみで構成されている。基準位置指示部材３２は、矩形平板状の金属板をＬ字状に折り曲げて作製され、その基部３２ａを固定部材３１の他面にねじ３３により締着固定されている。そして、Ｌ字状の折り曲げ片３２ｂが固定部材３１の他面から固定部材３１の一面と直交する方向に延出されている。【選択図】図１
2009208927.tif 000002
【特許請求の範囲】
【請求項１】
スプロケットに巻き掛けられて張設された乗客コンベアのチェーンのテンションを測定するチェーンテンション測定用治具であって、
磁石部を有し、該磁石部の磁気吸引力により、上記チェーンのテンション測定部位の近辺の上記乗客コンベアの固定物に一面を密接させて取り付けられる固定部材と、
上記固定部材の一面と直交する方向に該固定部材の他面から延設された基準位置指示部材と、
を備えていることを特徴とする乗客コンベアのチェーンテンション測定用治具。
【請求項２】
押棒挿通穴が上記基準位置指示部材に穿設されていることを特徴とする請求項１記載の乗客コンベアのチェーンテンション測定用治具。
【請求項３】
上記固定部材の他面に設けられ、目盛りが該固定部材からの上記基準位置指示部材の延設方向と直交する方向に沿って付された目盛り体を備えていることを特徴とする請求項１又は請求項２記載の乗客コンベアのチェーンテンション測定用治具。
【請求項４】
上記固定部材が、Ｌ字状の金属板の一辺と、該金属板の一辺の一面に固着された磁石部とから構成され、
上記基準位置指示部材が、上記金属板の他辺で構成されていることを特徴とする請求項１乃至請求項３のいずれか１項に記載の乗客コンベアのチェーンテンション測定用治具。
【請求項５】
上記基準位置指示部材は、その一端側を上記固定部材に回動可能に取り付けられ、上記固定部材の他面に沿った退避位置と該固定部材の一面と直交する作動位置との間を移動可能に構成されていることを特徴とする請求項１又は請求項２記載の乗客コンベアのチェーンテンション測定用治具。
【請求項６】
上記磁石部がマグネットシートであることを特徴とする請求項４又は請求項５記載の乗客コンベアのチェーンテンション測定用治具。
【発明の詳細な説明】
【技術分野】
【０００１】
この発明は、乗客コンベアの移動手摺りチェーンなどのチェーンテンションを測定するのに好適なチェーンテンション測定用治具に関するものである。
【背景技術】
【０００２】
従来、乗客コンベアにおいては、テンションゲージを用い、チェーンを例えば、４９Ｎ（５ｋｇｆ）の操作力で押し引きし、そのチェーンの弛み、即ち触れ幅を測定し、その触れ幅の測定値が管理値を超えていると、チェーンテンションの調整、又はチェーンを取り替えるという管理をしていた。
【０００３】
従来の乗客コンベアのチェーンの弛み量測定方法は、異なる外径のシリンダがそれぞれ進退自在に多段に内挿されたテレスコープ形シリンダの少なくとも１箇所にバネを内設し、内挿されるシリンダの底部を常時押圧して延伸させている柱体を、他のシリンダの進退を阻止して所定の延伸状態に設定しておいて、この柱体の一端を乗客コンベアの固定部に設置し、他端をチェーンに当接させた状態でチェーンを張設方向と直交する方向の一側に振ってばねによって押圧されたシリンダの第１の伸長距離を測定し、ついでチェーンを張設方向と直交する方向の他側に振ってばねによって押圧されたシリンダの第２の伸長距離を測定し、第１の伸長距離と第２の伸長距離との差から振れ幅を算出していた（例えば、特許文献１参照）。
【０００４】
【特許文献１】特開２００１−１５８５８７号公報
【発明の開示】
【発明が解決しようとする課題】
【０００５】
従来の乗客コンベアのチェーンの弛み量測定方法では、作業者は、狭いトラス内で窮屈な体勢で、測定装置の柱体の一端を乗客コンベアの固定部に設置し、他端をチェーンに当接させた状態で、チェーンを張設方向と直交する方向の一側に振ってシリンダの第１の伸長距離を測定し、ついでチェーンを張設方向と直交する方向の他側に振ってシリンダの第２の伸長距離を測定しなければならず、作業負荷が大きなものとなる。また、チェーンを張設方向と直交する方向の一側および他側に振るたびにシリンダの伸長距離を測定しなければならず、作業時間が長くなる。
【０００６】
このような状況を鑑み、本出願人は、チェーンを張設方向と直交する方向の一側に振った時のチェーン位置を振れ幅測定の基準位置として保持できれば、その後のチェーンを張設方向と直交する方向の他側に振った状態でのチェーン位置と保持された基準位置との距離を測定することで、チェーンの弛み量を簡易に測定できる、との着想に基づいて本発明を発明したものである。
【０００７】
この発明は、チェーンを張設方向と直交する方向の一側に振った際のチェーン位置を、チェーンの弛み測定の基準位置として保持できる乗客コンベアのチェーンテンション測定用治具を得ることを目的とする。
【課題を解決するための手段】
【０００８】
この発明による乗客コンベアのチェーンテンション測定用治具は、磁石部を有し、該磁石部の磁気吸引力により、チェーンのテンション測定部位の近辺の乗客コンベアの固定物に一面を密接させて取り付けられる固定部材と、固定部材の一面と直交する方向に該固定部材の他面から延設された基準位置指示部材と、を備えている。
【発明の効果】
【０００９】
この発明では、基準位置指示部材が磁石部を備えた固定部から延設されているので、基準位置指示部材がテンションゲージの押棒により張設方向と直交する方向の一側に振られたチェーンに接するように、磁石部の磁気吸引力により固定部材を乗客コンベアの固定物に取り付けられる。これにより、チェーンの振り幅の基準位置がチェーンテンション測定用治具により保持される。そこで、チェーンがテンションゲージの押棒により張設方向と直交する方向の他側に振られた際に、張設方向と直交する方向の他側に振られたチェーンの位置と基準位置指示部材との距離を１回測定することで、チェーンの弛み量を簡易に測定できる。
【発明を実施するための最良の形態】
【００１０】
以下、本発明の実施の形態を図面に基づいて説明する。
まず、本発明による乗客コンベアのチェーンテンション測定用治具が適用されるエスカレータの構成について図１０を参照しつつ説明する。
図１０はエスカレータの移動手摺り駆動装置周りを模式的に示す側面図である。
である。
【００１１】
図１０において、エスカレータは、乗客が乗る踏み板５の両側に一対の欄干が立設され、移動手摺り６が各欄干の周縁部に配設されて構成されている。そして、駆動モータ２および上部踏み板スプロケット３が、エスカレータのトラスフレーム１内の上部に内蔵されている。また、下部踏み板スプロケット（図示せず）がトラスフレーム１内の下部に内蔵されている。そして、無端状の駆動チェーン１２が駆動モータ２と上部踏み板スプロケット３とに巻き掛けられ、さらに無端状の踏み板チェーン４が上部踏み板スプロケット３と下部踏み板スプロケットとに巻き掛けられている。
【００１２】
また、移動手摺り駆動スプロケット７が上部踏み板スプロケット３と一体的に軸装されている。そして、移動手摺り駆動機構部１５がトラスフレーム１内に配設されている。さらに、第１移動手摺りチェーン１３が移動手摺り駆動スプロケット７と第１移動手摺り中間スプロケット８とに巻き掛けられ、第２移動手摺りチェーン１４が、第１移動手摺り中間スプロケット８と同心状に配設されている第２移動手摺り中間スプロケット９と移動手摺り駆動機構部１５の移動手摺り主スプロケット１９とに巻き掛けられている。
なお、スプロケット１０、１１が、第２移動手摺りチェーン１４の走行方向を変換するために、第２移動手摺り中間スプロケット９と移動手摺り主スプロケット１９との間に配設されている。
【００１３】
ここで、手摺り駆動機構部１５の構成について説明する。
３つの駆動ローラ１６が、移動手摺り６の復路側の裏面側に、移動手摺り６の走行方向に１列に配列されて配設されている。また、加圧ローラ１７が、各駆動ローラ１６に相対するように配設され、移動手摺り６が駆動ローラ１６と加圧ローラ１７との間に加圧挟持されている。さらに、テンション調整用アイドラ１８が隣り合う駆動ローラ１６間に移動手摺り６を挟んで配設されている。さらにまた、移動手摺り副スプロケット２０が移動手摺り主スプロケット１９と同心状に設けられて、移動手摺り主スプロケット１９と一体的に軸装されている。そして、無端状の第３移動手摺りチェーン２１が、駆動ローラ１６と一体的に軸装されている駆動ローラ用スプロケット（図示せず）、テンション調整用アイドラ１８、および移動手摺り副スプロケット２０に巻き掛けられている。そして、第３移動手摺りチェーン２１のテンションがテンション調整用アイドラ１８により調整される。
【００１４】
このように構成されたエスカレータでは、駆動モータ２が駆動されると、駆動モータ２の動力が駆動チェーン１２を介して踏み板スプロケット３に伝達され、踏み板チェーン４が走行され、踏み板５が移動する。同時に、駆動モータ２の動力が移動手摺り駆動スプロケット７に伝達され、第１移動手摺りチェーン１３を介して第１および第２移動手摺り中間スプロケット８，９に伝達され、さらに第２移動手摺りチェーン１４を介して移動手摺り主スプロケット１９に伝達される。そして、移動手摺り主スプロケット１９に伝達された駆動モータ２の動力が、移動手摺り副スプロケット２０に伝達され、第３移動手摺りチェーン２１を介して駆動ローラ１６に伝達される。そして、駆動ローラ１６に伝達された動力が、駆動ローラ１６と加圧ローラ１７との間に加圧挟持されている移動手摺り６に伝達され、移動手摺り６が踏み板５に同期して移動する。
【００１５】
このように、エスカレータでは、踏み板５や移動手摺り６を駆動するのにチェーンが使用されている。これらのチェーンは、使用によって伸びて弛みが生じる。チェーンに弛みが生じると、バックラッシュが大きくなって好ましくない。このため、チェーンは常に所定の弛みとなるように張設されていることが必要となる。そこで、チェーンの中間部を張設方向と直交する方向にチェーンを振って、その振り幅を測定し、その測定値が所定の範囲内となるように管理される。
【００１６】
実施の形態１．
図１はこの発明の実施の形態１に係るチェーンテンション測定用治具を示す斜視図、図２はこの発明の実施の形態１に係るチェーンテンション測定用治具を用いたチェーンテンション測定方法を説明する図、図３はこの発明の実施の形態１に係るチェーンテンション測定用治具を用いたチェーンテンション測定方法を説明する工程図である。
【００１７】
図１において、チェーンテンション測定用治具３０は、一面に平坦な取付面を有する固定部材３１と、固定部材３１の他面から固定部材３１の一面と直交する方向に延設された基準位置指示部材３２と、を備えている。固定部材３１は、永久磁石を両端面を平坦面とする円盤状に成形して作製された磁石部のみで構成されている。基準位置指示部材３２は、矩形平板状の金属板をＬ字状に折り曲げて作製され、その基部３２ａを固定部材３１の他面にねじ３３により締着固定されている。そして、Ｌ字状の折り曲げ片３２ｂが固定部材３１の他面から固定部材３１の一面と直交する方向に延出されている。
【００１８】
つぎに、このチェーンテンション測定用治具３０を用いたチェーンテンションの測定方法について図２および図３を参照しつつ説明する。ここでは、図２に示されるように、第３移動手摺りチェーン２１のチェーンテンションを測定する場合について説明する。なお、テンションゲージ２５は、内蔵されたバネを圧縮させることで所望の押圧力を発生し、押棒２６に付された目盛り２７から押棒２６の収縮量に対応する押圧力を読みとることができる一般的なものであり、ここでは、その説明は省略する。
【００１９】
まず、固定部材３１の磁気吸引力により、第３移動手摺りチェーン２１の測定部の近辺に存在しているトラスフレーム１の固定物に固定部材３１を装着する。そして、テンションゲージ２５の押棒２６の先端を第３移動手摺りチェーン２１に当て、例えば４９Ｎ（５ｋｇｆ）の押圧力Ｆで第３移動手摺りチェーン２１をその張設方向と直交する方向の一側に押圧する。そして、図３の（ａ）に示されるように、基準位置指示部材３２の折り曲げ片３２ｂが、押棒２６により押圧されて張設方向と直交する方向の一側に振れている第３移動手摺りチェーン２１に接するように、固定部材３１をスライド移動させる。この折り曲げ片３２ｂの位置が、第３移動手摺りチェーン２１の振れ幅測定の基準位置となる。
【００２０】
ついで、図３の（ｂ）に示されるように、テンションゲージ２５の押棒２６の先端を第３移動手摺りチェーン２１に逆側から当て、例えば４９Ｎ（５ｋｇｆ）の押圧力Ｆで第３移動手摺りチェーン２１をその張設方向と直交する方向の他側に押圧する。そして、第３移動手摺りチェーン２１が押棒２６により張設方向と直交する方向の他側に押圧されている状態で、第３移動手摺りチェーン２１と基準位置指示部材３２の折り曲げ片３２ｂとの間の距離、即ち触れ幅ｄを物差し（図示せず）を用いて測定する。そして、この振れ幅ｄの測定値に基づいて、第３移動手摺りチェーン２１の弛み量を管理する。
【００２１】
このように、実施の形態１によれば、チェーンテンション測定用治具３０を用いて、第３移動手摺りチェーン２１の弛み量の測定基準位置を保持できるので、狭いトラス内での窮屈な姿勢を伴う物差しを使っての測定作業が１回で済み、作業負荷を軽減できるとともに、作業時間を短縮することができる。さらに、測定誤差が少なくなり、第３移動手摺りチェーン２１のテンションを高精度に管理することができる。
また、チェーンテンション測定用治具３０の固定部材３１の磁石部に永久磁石を用いているので、チェーンテンション測定用治具３０の着脱が簡易にでき、作業性が高められる。さらに、基準位置指示部材３２を固定部材３１に締着固定してチェーンテンション測定用治具３０を構成しているので、チェーンテンション測定用治具３０を安価に作製できる。
【００２２】
実施の形態２．
図４はこの発明の実施の形態２に係るチェーンテンション測定用治具を示す斜視図、図５はこの発明の実施の形態２に係るチェーンテンション測定用治具を用いたチェーンテンション測定方法を説明する図である。
【００２３】
図４において、チェーンテンション測定用治具３０Ａは、押棒挿通穴３２ｃが基準位置指示部材３２の折り曲げ片３２ｂの先端側に穿設されている。なお、他の構成は上記実施の形態１と同様に構成されている。
【００２４】
このチェーンテンション測定用治具３０Ａは、基準位置指示部材３２の折り曲げ片３２ｂが、押棒２６により押圧されて張設方向と直交する方向の一側に振れている第３移動手摺りチェーン２１に接するようにトラスフレーム１の固定物に装着される。そして、図５に示されるように、テンションゲージ２５はその押棒２６を押棒挿通穴３２ｃに通してその先端を第３移動手摺りチェーン２１に逆側から当て、第３移動手摺りチェーン２１をその張設方向と直交する方向の他側に押圧する。そして、第３移動手摺りチェーン２１と基準位置指示部材３２の折り曲げ片３２ｂとの間の距離、即ち触れ幅ｄを物差しを用いて測定する。
【００２５】
この実施の形態２によれば、押棒挿通穴３２ｃが基準位置指示部材３２の折り曲げ片３２ｂの先端側に穿設されているので、押棒２６を押棒挿通穴３２ｃに通して第３移動手摺りチェーン２１をその張設方向と直交する方向の他側に押圧することができる。そこで、第３移動手摺りチェーン２１をその張設方向と直交する方向の他側に押圧する位置が、測定基準位置である基準位置指示部材３２の折り曲げ片３２ｂと相対する位置となり、振れ幅ｄを精度よく測定できる。
【００２６】
ここで、テンションゲージ２５の押棒２６に距離を表す目盛り２８を付しておけば、図６に示されるように、物差しを用いることなく、押棒挿通穴３２ｃの位置で簡易に振れ幅ｄを読みとることができ、作業負荷が一層軽減される。
【００２７】
実施の形態３．
図７はこの発明の実施の形態３に係るチェーンテンション測定用治具を示す斜視図である。
【００２８】
図７において、チェーンテンション測定用治具３０Ｂは、目盛りが固定部材３１からの基準位置指示部材３２の折り曲げ片３２ｂの延設方向と直交する方向に沿って付された目盛り体３４が基準位置指示部材３２とともに固定部材３１に一体に装着されている。なお、他の構成は上記実施の形態１と同様に構成されている。
従って、この実施の形態３によれば、目盛り体３４が固定部材３１に一体に装着されているので、作業者が物差しを手にして触れ幅ｄを測定する必要がなく、作業負荷が軽減される。
【００２９】
実施の形態４．
図８はこの発明の実施の形態４に係るチェーンテンション測定用治具の構成を説明する図であり、図８の（ａ）はその側面図、図８の（ｂ）はその背面図を示している。
【００３０】
図８において、チェーンテンション測定用治具３０Ｃは、矩形平板をＬ字状に曲げて作製された金属板３５と、金属板３５のＬ字状の一辺である基部３５ａの一面に固着された磁石部としての矩形平板状のマグネットシート３６と、を備えている。そして、固定部材が金属板３５の基部３５ａと、マグネットシート３６とから構成され、基準位置指示部材が金属板３５のＬ字状の他辺である折り曲げ辺３５ｂから構成されている。なお、他の構成は上記実施の形態１と同様に構成されている。
従って、この実施の形態４によれば、磁石部として安価なマグネットシート３６を用いているので、チェーンテンション測定用治具３０Ｃを安価に作製できる。
【００３１】
実施の形態５．
図９はこの発明の実施の形態５に係るチェーンテンション測定用治具の構成を説明する断面図であり、図９の（ａ）は退避状態を示し、図９の（ｂ）はその作動状態を示している。
【００３２】
図９において、チェーンテンション測定用治具３０Ｄは、矩形平板状の基部３８、および基部３８の一面に固着された磁石部としてのマグネットシート３６からなる固定部材３７と、矩形平板状の基準位置指示部材３９と、を備えている。そして、基準位置指示部材３９は、図９の（ａ）に示されるように基部３８の他面に沿った退避位置と、図９の（ｂ）に示されるように基部３８の他面から基部３８の一面と直交する方向に延在する作動位置とをとるように、その一端を基部３８に軸３８ａ周りに回動自在に取り付けられている。さらに、コイルバネ４０が軸３８ａに装着され、基準位置指示部材３９を退避位置から作動位置に回動させる方向に付勢している。なお、他の構成は上記実施の形態１と同様に構成されている。
【００３３】
このチェーンテンション測定用治具３０Ｄは、コイルバネ４０の付勢力に抗して基準位置指示部材３９を退避位置まで回動させて基部３８に係止することで、基準位置指示部材３９が退避位置に保持される。また、基準位置指示部材３９の係止を解くことで、基準位置指示部材３９はコイルバネ４０の付勢力により回動し、基部３８のストッパ３８ｂに当接して作動位置に保持される。
従って、この実施の形態５によれば、チェーンテンション測定用治具３０Ｄが折り畳み自在に構成されているので、持ち運び時のチェーンテンション測定用治具３０Ｄの嵩を小さくでき、携帯性が高められる。
【００３４】
ここで、基準位置指示部材３９を基部３８に係止する手段については説明していないが、係止する手段は、基準位置指示部材３９を退避位置に保持できればよく、例えば面ファスナーなどが用いられる。また、コイルバネ４０の付勢力により基準位置指示部材３９をストッパ３８ｂに当接させて作動位置に保持するようにしているが、基準位置指示部材３９を作動位置に保持する手段はこれに限定されない。
【００３５】
なお、上記各実施の形態では、エスカレータに適用するものとして説明しているが、本発明はエスカレータ以外の乗客コンベア、例えば歩く歩道に適用しても、同様の効果を奏する。
また、上記各実施の形態では、第３移動手摺りチェーンのチェーンテンションを測定する場合について説明しているが、本発明は第３移動手摺りチェーン以外のチェーンのチェーンテンションの測定に適用してもよいことは言うまでもないことである。
【図面の簡単な説明】
【００３６】
【図１】この発明の実施の形態１に係るチェーンテンション測定用治具を示す斜視図である。
【図２】この発明の実施の形態１に係るチェーンテンション測定用治具を用いたチェーンテンション測定方法を説明する図である。
【図３】この発明の実施の形態１に係るチェーンテンション測定用治具を用いたチェーンテンション測定方法を説明する工程図である。
【図４】この発明の実施の形態２に係るチェーンテンション測定用治具を示す斜視図である。
【図５】この発明の実施の形態２に係るチェーンテンション測定用治具を用いたチェーンテンション測定方法を説明する図である。
【図６】この発明の実施の形態２に係るチェーンテンション測定用治具を用いた他のチェーンテンション測定方法を説明する図である。
【図７】この発明の実施の形態３に係るチェーンテンション測定用治具を示す斜視図である。
【図８】この発明の実施の形態４に係るチェーンテンション測定用治具の構成を説明する図である。
【図９】この発明の実施の形態５に係るチェーンテンション測定用治具の構成を説明する断面図である。
【図１０】エスカレータの移動手摺り駆動装置周りを模式的に示す側面図である。
【符号の説明】
【００３７】
３０，３０Ａ，３０Ｂ，３０Ｃ，３０Ｄ  チェーンテンション測定用治具、３１  固定部材、３２  基準位置指示部材、３２ｃ  押棒挿通穴、３４  目盛り体、３５  金属板、３５ａ  基部（金属板の一辺、固定部材）、３５ｂ  折り曲げ辺（金属板の他辺、基準位置指示部材）、３６  マグネットシート（磁石部、固定部材）、３７  固定部材、３８  基部、３９  基準位置指示部材。
【図１】
2009208927.tif 000003
【図２】
2009208927.tif 000004
【図３】
2009208927.tif 000005
【図４】
2009208927.tif 000006
【図５】
2009208927.tif 000007
【図６】
2009208927.tif 000008
【図７】
2009208927.tif 000009
【図８】
2009208927.tif 000010
【図９】
2009208927.tif 000011
【図１０】
2009208927.tif 000012